(57)【要約】【課題】汎用性のある光源を用いたとしても、多様な機能水の濃度を測定することが可能な機能水濃度センサを提供する。【解決手段】機能水濃度センサ１は、機能水９０に対して、蛍光を発する発光部１０と、機能水９０の吸収スペクトル帯に感度を有する受光部２０であって、発光部１０から発せられ機能水９０を透過した蛍光Ｆを受光する受光部２０と、を備え、発光部２０は、所定の波長の光を発する光源２２と、光源２２から発せられた所定の波長の光で励起され、機能水９０の吸収スペクトル帯の波長を含む蛍光Ｆを発する蛍光部２３とを備える。【選択図】図３
2018141651.tif 000002
【特許請求の範囲】
【請求項１】
機能水に対して、蛍光を発する発光部と、
前記機能水の吸収スペクトル帯に感度を有する受光部であって、前記発光部から発せられ前記機能水を透過した前記蛍光を受光する受光部と、を備え、
前記発光部は、
所定の波長の光を発する光源と、
前記光源から発せられた前記所定の波長の光で励起され、前記機能水の吸収スペクトル帯の波長を含む前記蛍光を発する蛍光部とを備える
機能水濃度センサ。
【請求項２】
前記光源は、発光ダイオードである
請求項１に記載の機能水濃度センサ。
【請求項３】
前記発光ダイオードは、可視光又は近赤外光を発する
請求項２に記載の機能水濃度センサ。
【請求項４】
前記蛍光部は、
基板と、
前記基板の主面に積層されたアップコンバージョン蛍光体とを備える
請求項１〜３のいずれか一項に記載の機能水濃度センサ。
【請求項５】
前記アップコンバージョン蛍光体は前記蛍光として紫外光を発する
請求項４に記載の機能水濃度センサ。
【請求項６】
前記蛍光部は、前記アップコンバージョン蛍光体が前記光源を向くように配置されており、
前記基板は、前記アップコンバージョン蛍光体によって励起されなかった光を遮断する
請求項４又は５に記載の機能水濃度センサ。
【発明の詳細な説明】
【技術分野】
【０００１】
本発明は、機能水濃度センサに関する。
【背景技術】
【０００２】
従来、除菌、脱臭、脱色などにオゾンが利用されている。オゾンは強力な酸化力を有するので、必要以上の濃度で使用した場合には周囲の金属を腐食させる。または、オゾンは他の生物、人体にとって有害となるため、その濃度を制御する必要がある。そのため、オゾン濃度を測定するオゾン濃度計が開発されている。例えば、特許文献１に記載の光吸収式オゾン濃度計では、試料を収納する試料セルに紫外光を照射し、試料セルを透過した透過光の強度を検出することで、オゾン濃度を測定する。
【先行技術文献】
【特許文献】
【０００３】
【特許文献１】特開２００２−５８２６号公報
【発明の概要】
【発明が解決しようとする課題】
【０００４】
ところで、オゾンに限らず、所定の機能を有する機能水の濃度を検出することが望まれている。特許文献１に記載の光吸収式オゾン濃度計と同様、光吸収を検出原理とする機能水濃度センサでは、機能水の吸収スペクトル帯に含まれる波長の光を発する光源を準備する必要がある。このため、機能水の種類に応じて、適切な光源を採用しなければならないのが実状である。
【０００５】
そこで、本発明は、汎用性のある光源を用いたとしても、多様な機能水の濃度を測定することが可能な機能水濃度センサを提供することを目的とする。
【課題を解決するための手段】
【０００６】
上記目的を達成するため、本発明の一態様に係る機能水濃度センサは、機能水に対して、蛍光を発する発光部と、機能水の吸収スペクトル帯に感度を有する受光部であって、発光部から発せられ機能水を透過した蛍光を受光する受光部と、を備え、発光部は、所定の波長の光を発する光源と、光源から発せられた所定の波長の光で励起され、機能水の吸収スペクトル帯の波長を含む蛍光を発する蛍光部とを備える。
【発明の効果】
【０００７】
本発明によれば、汎用性のある光源を用いたとしても、多様な機能水の濃度を測定することが可能な機能水濃度センサを提供することができる。
【図面の簡単な説明】
【０００８】
【図１】実施の形態に係る機能水濃度センサの構成を示す模式図である。
【図２】実施の形態に係る次亜塩素酸水のｐＨ毎の吸光スペクトルを示すグラフである。
【図３】実施の形態に係る発光部の内部構成を模式的に示す部分断面図である。
【図４】実施の形態に係る光源の一例の発光スペクトルを示すグラフである。
【図５】実施の形態に係る蛍光体の一例による蛍光のスペクトルを示すグラフである。
【図６】実施の形態に係る基板の一例の透過率波長特性を示すグラフである。
【図７】実施の形態に係る機能水濃度センサの制御構成を示すブロック図である。
【図８】変形例に係る機能水濃度センサの概略構成を示す模式図である。
【発明を実施するための形態】
【０００９】
以下では、本発明の実施の形態に係る機能水濃度センサについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。また、各図において、同じ構成部材については同じ符号を付している。また、以下の実施の形態において、略全て又は略一致などの表現を用いている。例えば、略一致は、完全に一致することを意味するだけでなく、実質的に一致する、すなわち、数％程度の誤差を含むことも意味する。他の「略」を用いた表現についても同様である。
【００１１】
［機能水濃度センサの概要］
まず、本実施の形態に係る機能水濃度センサの概要について、図１を用いて説明する。図１は、本実施の形態に係る機能水濃度センサ１の構成を示す模式図である。
【００１２】
本実施の形態に係る機能水濃度センサ１は、容器３０に入れられた機能水９０の濃度を測定するセンサである。具体的には、機能水濃度センサ１は、機能水９０に蛍光Ｆを照射し、機能水９０を透過した蛍光Ｆを検出することで、機能水９０の濃度を測定する。
【００１３】
機能水９０は、人為的な処理によって再現性のある有用な機能を付与された水溶液の中で、処理と機能とに関して科学的根拠が明らかにされたもの、及び、されようとしているものである。具体的には、機能水９０は、次亜塩素酸水、又は、オゾン水などである。本実施の形態では、機能水９０として次亜塩素酸水を用いる場合を例示して説明する。
【００１４】
図２は、本実施の形態に係る次亜塩素酸水のｐＨ毎の吸光スペクトルを示すグラフである。図２において、横軸は、次亜塩素酸水に照射する光の波長を示し、縦軸は、機能水９０の吸光度を示している。
【００１５】
図２に示すように、次亜塩素酸水は、ｐＨ毎により吸光度が変動するが、吸収ピーク波長はそれに依存せずに、約２９２ｎｍと約２３６ｎｍとに吸収ピークを有する。つまり、次亜塩素酸水は、吸収ピークを含む所定の範囲（吸収スペクトル帯）の光を多く吸収している。吸収スペクトル帯は、吸収ピークにおける吸光度の所定の割合以上の吸光度を有する範囲である。所定の割合は、例えば、５％〜２０％である。例えば、吸収ピーク波長が２９２ｎｍの部分に着目した場合、次亜塩素酸水が吸収可能な吸収スペクトル帯は、２５０ｎｍ以上３５０ｎｍ以下である。
【００１６】
図１に示すように、本実施の形態に係る機能水濃度センサ１は、発光部１０と、受光部２０と、容器３０とを備える。なお、図１には示していないが、機能水濃度センサ１は、外光が受光部２０に入射するのを抑制するために、遮光性の筐体の内部に収納されている。このとき、発光部１０が発した蛍光Ｆのうち、容器３０の入射窓３１に入射されなかった光（すなわち、迷光）を吸収するように、筐体の内面は、蛍光Ｆを吸収する材料から形成されていてもよい。
【００１７】
以下では、機能水濃度センサ１が備える各構成要素について詳細に説明する。
【００１８】
［発光部］
発光部１０は、機能水９０に対して蛍光Ｆを発する。発光部１０は、容器３０の入射窓３１に近接配置されている。近接とは、互いの距離が所定の範囲内であることを意味し、接触している場合も含む。例えば、発光部１０は、発した蛍光Ｆの略全てが入射窓３１に入射するように、すなわち、発した蛍光Ｆが容器３０の外部にほとんど漏れないように配置されている。
【００１９】
図３は、本実施の形態に係る発光部１０の内部構成を模式的に示す部分断面図である。図３では、発光部１０を二点鎖線で図示している。図３に示すように、発光部１０は、少なくとも光源１２と、蛍光部１３とを備えている。
【００２０】
なお、図３では、光源１２と蛍光部１３とが筐体１１に収容されている場合を図示しているが、筐体１１は、機能水濃度センサ１の筐体を兼ねていてもよい。
【００２１】
光源１２は、所定の波長の光を発する、例えば発光ダイオード（ＬＥＤ（Ｌｉｇｈｔ  Ｅｍｉｔｔｉｎｇ  Ｄｉｏｄｅ）素子）である。具体的には、光源１２は、可視光又は近赤外光を発する。
【００２２】
図４は、本実施の形態に係る光源１２の一例の発光スペクトルを示すグラフである。図４において、横軸は、光源１２が発する光の波長を示し、縦軸は、相対光度を示している。図４に示すように、光源１２は、例えば４６５ｎｍ付近にピーク波長を有する、汎用性のある発光ダイオードを用いることができる。
【００２３】
なお、光源１２は、発光ダイオード以外でもよく、例えば、半導体レーザ、小型の水銀ランプなどでもよい。
【００２４】
図３に示すように、蛍光部１３は、光源１２に対して所定の間隔をあけて対向して配置されている。蛍光部１３は、光源１２から発せられた所定の波長の光で励起され、機能水９０の吸収スペクトル帯の波長を含む蛍光Ｆを発する。
【００２５】
具体的には、蛍光部１３は、基板１３１と、基板１３１の主面に積層された蛍光体１３２とを備えている。そして蛍光部１３は、蛍光体１３２が光源１２を向いて、基板１３１が光源１２とは反対側を向く姿勢で、配置されている。
【００２６】
蛍光体１３２は、基板１３１の主面に塗布されている。あるいは、蛍光体１３２は、基板１３１の内部に分散されて含有されてもよい。そして、蛍光体１３２は、光源１２から発せられた光で励起されて蛍光Ｆを発する。具体的には、蛍光体１３２は、光源１２から発せられた光を波長変換することで、波長変換後の光として蛍光Ｆを発する。
【００２７】
図５は、本実施の形態に係る蛍光体１３２の一例による蛍光Ｆのスペクトルを示すグラフである。図５において、横軸は、蛍光体１３２が発する蛍光Ｆの波長を示し、縦軸は、発光強度を示している。図５に示すように、蛍光体１３２は、図４で示した４６５ｎｍ付近にピーク波長を有する光を光源１２から受けると、３３０ｎｍ〜４００ｎｍの波長帯の蛍光Ｆに変換する。つまり、蛍光体１３２は、長波長の光を短波長の光に変換する蛍光体である。
【００２８】
この蛍光体１３２による波長変換によって、蛍光Ｆは機能水９０の吸収スペクトル帯の波長を含むことになる。換言すると、蛍光Ｆは、機能水９０によって吸収されることになる。
【００２９】
基板１３１は、例えばガラス又はセラミックなどの透光性を有する板体である。基板１３１には、蛍光体１３２で波長変換された蛍光Ｆと、蛍光体１３２で波長変換されなかった光とが入射する。基板１３１は、蛍光体１３２によって励起されなかった光を遮断する。具体的には、基板１３１は、特定の波長の光を透過させ、それ以外の光をカットする色ガラスフィルタである。
【００３０】
図６は、本実施の形態に係る基板１３１の一例の透過率波長特性を示すグラフである。図６において、横軸は、基板１３１に照射される光の波長を示し、縦軸は、透過率を示している。図６に示すように、基板１３１は、２８０ｎｍ〜３７０ｎｍの波長帯の光を多く透過し、それ以外の光を概ねカットする。つまり、蛍光体１３２によって励起されなかった光は、この基板１３１によって遮断される。
【００３１】
［受光部］
図１に示すように、受光部２０は、容器３０の出射窓３２に近接配置されている。具体的には、受光部２０は、出射窓３２から出射した蛍光Ｆのうち、受光部２０側に進行する光の略全てを受光するように配置されている。
【００３２】
受光部２０は、蛍光Ｆを受光する。具体的には、受光部２０は、受光した蛍光Ｆを光電変換することで、蛍光Ｆの受光量（すなわち、強度）に応じた電気信号を生成する。生成された電気信号は、制御回路５０（後述）に出力される。
【００３３】
受光部２０は、所定の波長領域に高い感度を有している。本実施の形態では、受光部２０は、機能水９０の吸収スペクトル帯（本実施の形態では、２５０ｎｍ以上３５０ｎｍ以下）に感度を有する。受光部２０は、例えば、フォトダイオードであるが、これに限定されない。受光部２０は、フォトトランジスタなどでもよい。
【００３４】
［容器］
容器３０は、機能水９０が入れられる容器である。容器３０は、例えば有底円筒又は有底角筒などの有底筒状のセルであるが、特に限定されない。容器３０は、蛍光Ｆを透過させる２つの透過窓を備える。具体的には、容器３０は、入射窓３１と、出射窓３２とを備える。
【００３５】
入射窓３１は、発光部１０から発せられた蛍光Ｆが入射する窓である。入射窓３１は、容器３０に形成された開口に設けられた、蛍光Ｆを透過させる透光部材から形成される。入射窓３１（透光部材）は、例えば、石英ガラス、サファイアガラスなどから形成されている。具体的には、入射窓３１は、入射面及び出射面が略平面である板状のガラスから形成される。入射窓３１には、蛍光Ｆが略垂直に入射する。具体的には、蛍光Ｆは、板状のガラス（入射窓３１）の厚み方向に沿って入射する。つまり、蛍光Ｆは、入射面の法線方向に入射する。
【００３６】
出射窓３２は、容器３０に入射し、機能水９０を透過した蛍光Ｆが受光部２０に向けて出射する窓である。出射窓３２は、容器３０に形成された開口に設けられた、蛍光Ｆを透過させる透光部材から形成される。出射窓３２（透光部材）は、例えば、石英ガラス、サファイアガラスなどから形成されている。具体的には、出射窓３２は、入射面及び出射面が略平面である板状のガラスから形成される。出射窓３２からは、蛍光Ｆが略垂直に出射される。具体的には、蛍光Ｆは、板状のガラス（出射窓３２）の厚み方向に沿って出射する。つまり、蛍光Ｆは、出射面の法線方向に出射される。
【００３７】
本実施の形態では、発光部１０、容器３０及び受光部２０は、この順で略同一直線上に配置されている。図１に示すように、容器３０の入射窓３１及び出射窓３２も当該直線上に配置されている。これにより、発光部１０から発せられた蛍光Ｆは、最短距離で受光部２０に到達する。したがって、発光部１０から受光部２０までの間で光漏れ（迷光）が発生するのを抑制するので、蛍光Ｆの強度を精度良く検出することができ、機能水９０の濃度を精度良く測定することができる。
【００３８】
なお、容器３０は、所定の配管の一部でもよい。具体的には、容器３０内を機能水９０が流れていてもよい。例えば、機能水９０は、容器３０と反応槽（図示せず）との間で循環されてもよい。反応槽は、機能水９０の機能を発揮させるための容器である。例えば、機能水９０が除菌、脱臭などの機能を有する場合、機能水９０は、反応槽内で対象物（例えば、空気などの気体）に接触することで、当該対象物の除菌、脱臭などを行う。この場合、機能水９０が除菌、脱臭などを行いながら、機能水濃度センサ１が機能水９０の濃度を測定することができる。つまり、機能水濃度センサ１を脱臭装置などに組み込んで用いることができる。
【００３９】
［制御回路］
図７は、本実施の形態に係る機能水濃度センサ１の制御構成を示すブロック図である。
【００４０】
図７に示すように、機能水濃度センサ１は、発光部１０及び受光部２０を制御する制御回路５０を備えている。
【００４１】
具体的には、制御回路５０は、光源１２及び受光部２０を制御するコントローラである。制御回路５０は、プログラムが格納された不揮発性メモリ、プログラムを実行するための一時的な記憶領域である揮発性メモリ、入出力ポート、プログラムを実行するプロセッサなどを有する。制御回路５０は、例えば、マイコン（マイクロコントローラ）などで実現される。
【００４２】
制御回路５０は、受光部２０から出力された電気信号に基づいて、機能水９０の濃度を測定（算出）する。具体的には、制御回路５０は、電気信号に基づいて蛍光Ｆの強度を算出し、算出した蛍光Ｆの強度に基づいて機能水９０の透過度（又は吸光度）を算出する。制御回路５０は、後述するランベルト・ベールの法則に基づいて、算出した透過度から機能水９０の濃度を算出する。なお、制御回路５０は、蛍光Ｆの強度と機能水９０の濃度とを対応付けたテーブルを予めメモリに記憶しており、当該テーブルを参照することで、機能水９０の濃度を決定してもよい。
【００４３】
また、制御回路５０は、機能水９０の濃度の測定結果に基づいて光源１２をフィードバック制御してもよい。例えば、受光部２０によって検出された受光量が小さすぎる場合、すなわち、機能水９０の濃度が低すぎる場合には、光源１２の出力を高めて蛍光Ｆの強度を強くしてもよい。
【００４４】
［蛍光］
続いて、本実施の形態に係る発光部１０が発する蛍光Ｆの詳細について説明する。
【００４５】
本実施の形態では、蛍光Ｆ（機能水９０を透過する前の蛍光）のピーク波長は、機能水９０に固有の吸収ピークを含む吸収スペクトル帯に存在する。吸収ピークは、機能水９０が有する吸収スペクトル帯において、吸光度の極大値を示す波長である。言い換えると、吸収ピークは、機能水９０による吸収量が極大となる光の波長である。
【００４６】
ここで、機能水９０の濃度と、機能水９０による蛍光Ｆの吸光度との関係について示す。一般的に、ランベルト・ベールの法則により、媒質に入射する前の光の強度をＩ０、長さＬの媒質を透過した後の光の強度をＩとしたとき、以下の（式１）及び（式２）を満たす。
【００４７】
【数１】
2018141651.tif 000003
【００４８】
ここで、“ａ”は吸光係数であり、“Ｃ”は媒質のモル濃度である。“Ｌ”は、蛍光Ｆが透過する媒質（すなわち、機能水９０）の長さ（すなわち、光路長）であり、本実施の形態では、容器３０の入射窓３１から出射窓３２までの距離に相当する。
【００４９】
透過度と機能水９０の濃度とは、ランベルト・ベールの法則に基づいて、互いに依存関係を有する。したがって、機能水９０を透過する前の入射光の強度と、機能水９０を透過した後の透過光（出射光）の強度とを取得することで、（式１）に基づいて、機能水９０による吸光度（又は透過度）を算出することができる。吸光度を算出できれば、当該吸光度と図２との関係によって、機能水９０の濃度を決定することができる。
【００５０】
［効果など］
以上のように、本実施の形態に係る機能水濃度センサ１は、機能水９０に対して、蛍光Ｆを発する発光部１０と、機能水９０の吸収スペクトル帯に感度を有する受光部２０であって、発光部１０から発せられ機能水９０を透過した蛍光Ｆを受光する受光部２０と、を備え、発光部１０は、所定の波長の光を発する光源１２と、光源１２から発せられた所定の波長の光で励起され、機能水９０の吸収スペクトル帯の波長を含む蛍光Ｆを発する蛍光部１３とを備える。
【００５１】
この構成によれば、光源１２から発せられた光を、蛍光部１３が機能水９０の吸収スペクトル帯の波長を含む蛍光Ｆに波長変換する。つまり、光源１２の波長特性及び機能水９０の吸収スペクトル帯に対応できる蛍光部１３を採用しておけば、汎用性のある光源１２を用いたとしても、多様な機能水の濃度を測定することができる。
【００５２】
また、光源１２は発光ダイオードである。
【００５３】
この構成によれば、光源１２として小型で長寿命な発光ダイオードを用いているので、機能水濃度センサ１を小型化及び長寿命化することができる。
【００５４】
また、発光ダイオードは、可視光又は近赤外光を発する。
【００５５】
この構成によれば、光源１２が可視光又は近赤外光を発する発光ダイオードであるので、紫外光を発する発光ダイオードと比べても、安価で安定性の高い光源を採用することができる。
【００５６】
また、蛍光部１３は、基板１３１と、基板１３１の主面に積層されたアップコンバージョン蛍光体（蛍光体１３２）とを備える。
【００５７】
この構成によれば、蛍光体１３２によって、長波長の光を短波長の光に変換することができる。つまり、比較的高価な短波長の光を発する発光ダイオードを用いなくとも、長波長の発光ダイオードと蛍光体１３２とによって短波長の光を発することができる。
【００５８】
また、アップコンバージョン蛍光体（蛍光体１３２）は蛍光Ｆとして紫外光を発する。
【００５９】
この構成によれば、蛍光体１３２が蛍光Ｆとして紫外光を発するので、比較的高価な紫外光を発する発光ダイオードを用いなくとも、長波長の発光ダイオードと蛍光体１３２とによって紫外光を発することができる。
【００６０】
また、蛍光部１３は、アップコンバージョン蛍光体が光源１２を向くように配置されており、基板１３１は、アップコンバージョン蛍光体によって励起されなかった光を遮断する。
【００６１】
この構成によれば、基板１３１が蛍光体１３２によって励起されなかった光を遮断しているので、ノイズの原因となる光を除去することができる。したがって、機能水９０の濃度の検出精度を高めることができる。
【００６２】
（その他）
以上、本発明に係る機能水濃度センサについて、上記実施の形態に基づいて説明したが、本発明は、上記実施の形態に限定されるものではない。以降の説明において、上記実施の形態と同一の部分については、同一の符号を付してその説明を省略する場合がある。
【００６３】
例えば、上記実施の形態では、容器３０の外部に発光部１０及び受光部２０を配置したが、これに限らない。例えば、発光部１０が入射窓３１に取り付けられていてもよい。すなわち、発光部１０の発光面が容器３０内に露出していてもよい。同様に、受光部２０が出射窓３２に取り付けられていてもよい。すなわち、受光部２０の受光面が容器３０内に露出していてもよい。
【００６４】
また、上記実施の形態では、機能水９０を収容する容器３０を機能水濃度センサ１が備えている場合を例示した。しかしながら、機能水濃度センサ１は容器を備えていなくてもよい。
【００６５】
図８は、変形例として、容器を備えない機能水濃度センサ１Ａの概略構成を示す模式図である。なお、図８においては、機能水濃度センサ１Ａが機能水９０ａ内に配置された状態を図示している。図８に示すように、機能水濃度センサ１Ａは、発光部１０と、受光部２０と、筐体６０とを備えている。
【００６６】
筐体６０は、互いに所定の間隔をあけて配置された第一収容部６１と第二収容部６２とを備えている。第一収容部６１には、発光部１０が収容されている。第一収容部６１内においては、発光部１０は、発光面が第二収容部６２側を向くように配置されている。そして、第一収容部６１における発光部１０の発光面側には、発光部１０が発した蛍光Ｆが透過する透過窓６１１が設けられている。
【００６７】
第二収容部６２には、受光部２０が収容されている。第二収容部６２内においては、受光部２０は、受光面が第一収容部６１側を向くように配置されている。そして、第二収容部６２における受光部２０の受光面側には、発光部１０からの蛍光Ｆを透過して受け入れる透過窓６２１が設けられている。発光部１０から発せられた蛍光Ｆは、透過窓６１１から出射されて、第一収容部６１及び第二収容部６２の間の空間を透過してから、透過窓６２１を介して受光部２０で受光される。
【００６８】
つまり、透過窓６１１、６２１が機能水９０ａに浸かるように、機能水濃度センサ１Ａを機能水９０ａ内に配置すれば、発光部１０で発せられた蛍光Ｆを、機能水９０ａを透過させて、受光部２０で受光させることができる。
【００６９】
また、上記実施の形態では、機能水９０が次亜塩素酸水である場合を例示して説明した。しかしながら、機能水はその他の機能水であってもよい。その他の機能水としては、オゾン水が挙げられる。この場合においても、オゾン水の吸収スペクトル帯は、２２０ｎｍ以上３００ｎｍ以下であるので、上記した機能水濃度センサ１であっても、オゾン水の濃度を検出することが可能である。なお、次亜塩素酸水及びオゾン水とは異なる吸収スペクトル帯を有する機能水の濃度を測定する場合においては、当該機能水の吸収スペクトル帯と、光源の波長特性とに対応できる蛍光体を用いればよい。
【００７０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７１】
１、１Ａ  機能水濃度センサ
１０  発光部
１２  光源
１３  蛍光部
２０  受光部
９０、９０ａ  機能水
１３１  基板
１３２  蛍光体
Ｆ  蛍光
【図１】
2018141651.tif 000004
【図２】
2018141651.tif 000005
【図３】
2018141651.tif 000006
【図４】
2018141651.tif 000007
【図５】
2018141651.tif 000008
【図６】
2018141651.tif 000009
【図７】
2018141651.tif 000010
【図８】
2018141651.tif 000011